(57)【要約】  セルフサービスアイウェア注文キオスクが開示される。顧客は、小売販売員又は光学専門家からの支援を必要とせずに、キオスクにおいてアイウェアを注文し得る。顧客が試着し、所望のフレームスタイルを選択するために、サンプルアイウェアフレームがキオスクにおいて利用可能である。キオスクのユーザインターフェースは、選択されたフレームスタイルコード及び光学処方箋等の顧客アイウェアデータを受け入れる。キオスクは、顧客の画像の捕捉に使用されるカメラも含む。画像を使用して、瞳孔距離等の顧客の少なくとも１つのアイウェアパラメータを計算する。柄付き眼鏡又は他の参照デバイスが顧客の顔に保持されて、アイウェアパラメータ計算の参照を提供する。【選択図】図１
2016536639.tif 000002
【特許請求の範囲】
【請求項１】
要処方箋アイウェアを注文するセルフサービスキオスクであって、
顧客から直接、要処方箋アイウェアの注文情報を受信するように構成されるユーザインターフェースであって、前記注文情報は、フレームスタイル及び光学処方箋を含む、ユーザインターフェースと、
前記ユーザインターフェースにおいて、顧客入力の注文情報の画像を捕捉するように構成されるカメラと、
前記カメラから画像データを受信するように構成されるプロセッサと、
コンピュータ実行可能命令を記憶したコンピュータ可読記憶媒体であって、前記命令は、前記プロセッサによって実行されると、前記プロセッサに、前記顧客のアイウェア測定値を計算する方法を実行させ、前記方法は、
前記顧客の顔をディスプレイに提示することと、
前記顧客の顔が参照に対して所望の位置に配置されたとき、前記カメラを使用して画像を捕捉することと、
１つ又は複数の選択された画像を使用して、前記アイウェア測定値を計算することと、
を含む、コンピュータ可読記憶媒体と、
を備える、セルフサービスキオスク。
【請求項２】
前記アイウェア測定値は、前記画像の１つ又は複数を使用して計算される瞳孔距離である、請求項１に記載のセルフサービスキオスク。
【請求項３】
前記参照は、前記顧客の目の前に位置決めされる柄付き眼鏡である、請求項１に記載のセルフサービスキオスク。
【請求項４】
前記プロセッサは、
前記顧客の目の角膜での反射を使用して、選択された画像での顧客の目の位置を識別するように更に動作する、請求項１に記載のセルフサービスキオスク。
【請求項５】
前記参照は、前記ユーザインターフェースディスプレイに提示される形状であり、前記形状は、前記顧客の顔が位置すべきエリアを指定する、請求項１に記載のセルフサービスキオスク。
【請求項６】
アイウェアを提供する方法であって、
ユーザからアイウェアフレーム識別子を受信することと、
前記ユーザの１つ又は複数の画像を捕捉することであって、前記画像は、参照デバイス又は柄付き眼鏡の近傍に前記ユーザの顔を含む、捕捉することと、
選択された画像内の情報を使用して、少なくとも１つのアイウェアパラメータを計算することと、
前記フレーム識別子及び前記アイウェアパラメータに基づいて、前記アイウェアの注文を生成することと、
を含む、方法。
【請求項７】
前記１つ又は複数の画像は、ポータブル計算装置のカメラを使用して捕捉される、請求項６に記載の方法。
【請求項８】
前記ユーザから光学処方箋を受信することを更に含み、
前記アイウェアの前記注文は、前記光学処方箋データに更に基づく、請求項６に記載の方法。
【請求項９】
前記選択された画像での角膜反射を使用して、ユーザの目の位置を識別することと、
前記ユーザの目の位置に基づいて、前記ユーザの瞳孔距離を計算することと、
を更に含む、請求項６に記載の方法。
【請求項１０】
前記アイウェアフレーム識別子は、前記ユーザから受信され、前記ユーザの前記画像はセルフサービスキオスクにおいて捕捉され、
前記方法は、
１つ又は複数のキオスクから中央サーバにおいて複数のアイウェア注文を受信することを更に含む、請求項６に記載の方法。
【請求項１１】
アイウェア注文データを前記中央サーバからレンズ製造所に転送することを更に含む、請求項１０に記載の方法。
【請求項１２】
顧客からアイウェア注文情報を受信するシステムであって、
顧客の少なくとも１つのアイウェアパラメータを測定する際に使用されるように構成される柄付き眼鏡参照デバイスと、
前記柄付き眼鏡参照デバイスが前記顧客の目の近くに位置決めされる状態で前記顧客の顔の画像を捕捉するように構成されるカメラと、
捕捉された画像から前記少なくとも１つの顧客アイウェアパラメータを計算するように構成されるプロセッサと、
を備える、システム。
【請求項１３】
前記カメラ及び前記プロセッサは、ポータブルコンピュータデバイスの構成要素である、請求項１２に記載のシステム。
【請求項１４】
前記ポータブルコンピュータデバイスは、
前記顧客からアイウェアフレーム選択データを受信するユーザインターフェースと、
アイウェア注文情報をリモート装置に通信するように構成される無線ネットワークインターフェースと、
を備える、請求項１３に記載のシステム。
【請求項１５】
前記顧客によって使用されるタブレットコンピュータを保持するように構成されるセルフサービスキオスクを更に備え、前記セルフサービスキオスクは、顧客のポータブルコンピュータデバイスに取り付けられるように構成されるドッキングポートを備える、請求項１３に記載のシステム。
【発明の詳細な説明】
【技術分野】
【０００１】
本発明の実施形態は、一般的には、眼鏡のレンズ、眼鏡のフレーム、サングラス、及び老眼鏡等の要処方箋アイウェアの人の手を借りないセルフサービス購入解決策を提供することに関する。
【背景技術】
【０００２】
現在、新しい眼鏡を得ようとしている顧客は、小売店での購入に制限されている。そのような購入は通常、眼鏡技師又は販売員の支援を必要とする。典型的には、顧客はまず、眼科医から処方箋を取得し、次に、眼鏡技師を訪ねて、眼鏡のフレームスタイルを選ぶ。顧客は、幾つかのフレームを試してから、所望のフレームを選択し得る。次に、眼鏡技師は、処方箋に対応し、選択されたフレームに適応した１対のレンズを注文する。小売眼鏡販売では、光学的測定を行い、処方箋を入力し、製造所からレンズを注文するために、熟練した眼鏡技師が必要とされる。
【発明の概要】
【０００３】
眼鏡を購入する現在のプロセスは、ロケーション（すなわち、眼鏡技師のロケーション）及びタイミング（すなわち、眼鏡技師の小売事業の時間中）に関して顧客の選択を制限している。さらに、現在の注文プロセスでは、顧客は、眼鏡技師の小売店でのプレッシャーの高い販売環境に曝され得る。これらの要因は、要処方箋アイウェアの購入サイクルを長引かせるおそれがあり、フレームスタイルの変更又は追加の眼鏡を購入しようとする顧客を抑止するおそれがある。顧客は、要処方箋アイウェアの購入をより容易且つ経済的にする簡素化されたプロセスから恩恵を受ける。
【０００４】
こうして本発明を概説したが、これより、添付図面を参照する。
【図面の簡単な説明】
【０００５】
【図１】一実施形態によるセルフサービス要処方箋アイウェアキオスク１００を示す。
【図２】バックエンドアイウェア注文システムと通信するセルフサービス要処方箋アイウェアキオスクの実施形態例のブロック図である。
【図３】一実施形態によるアイウェアの顧客注文を満たすプロセスを示すフローチャートである。
【図４Ａ】一実施形態によるセルフサービス要処方箋アイウェアキオスクを操作するプロセスを示すフローチャートである。
【図４Ｂ】一実施形態によるセルフサービス要処方箋アイウェアキオスクを操作するプロセスを示すフローチャートである。
【図５】一実施形態による瞳孔距離（ＰＤ）を測定するための表示を示す。
【図６】一実施形態で使用される柄付き眼鏡の図である。
【図７】代替の実施形態によるセルフサービス要処方箋アイウェアキオスクを示す。
【図８Ａ】セルフサービス要処方箋アイウェアキオスクの追加の詳細を示す図である。
【図８Ｂ】セルフサービス要処方箋アイウェアキオスクの追加の詳細を示す図である。
【図８Ｃ】セルフサービス要処方箋アイウェアキオスクの追加の詳細を示す図である。
【図８Ｄ】セルフサービス要処方箋アイウェアキオスクの追加の詳細を示す図である。
【図８Ｅ】セルフサービス要処方箋アイウェアキオスクの追加の詳細を示す図である。
【図９】更なる実施形態によるセルフサービス要処方箋アイウェアキオスクを示す。
【図１０Ａ】代替の実施形態によるアイウェアの顧客注文を満たすプロセスを示すフローチャートである。
【図１０Ｂ】代替の実施形態によるアイウェアの顧客注文を満たすプロセスを示すフローチャートである。
【図１０Ｃ】代替の実施形態によるアイウェアの顧客注文を満たすプロセスを示すフローチャートである。
【発明を実施するための形態】
【０００６】
これより、本発明について添付図面を参照して以下により十分に説明する。しかし、本発明は、多くの異なる形態で実施し得、本明細書に記載される実施形態に限定されるものとして解釈されるべきではない。むしろ、これらの実施形態は、この開示が詳細で完全であり、当業者に本発明の範囲を十分に伝えるように提供される。当業者は本発明の様々な実施形態を使用可能であり得る。
【０００７】
セルフサービス要処方箋アイウェアキオスクの実施形態例を開示する。光学処方箋に適合するアイウェアを購入しようとしている顧客は、小売環境で買い物する代わりに、キオスクを使用し得る。顧客は、キオスクを使用して、新しい処方箋用のアイウェアを取得し、且つ／又は既存の処方箋用の第２の眼鏡を取得し得る。顧客は、様々なフレームスタイルを試着し、次に、選択されたフレームをキオスクで直接注文し得る。キオスクは、顧客がレンズのアップグレード及びフレームスタイルをプレッシャーなしの販売環境で評価できるようにする。キオスクはまた、顧客の瞳孔距離を測定して、アイウェアが顧客に適宜フィットすることを保証する。
【０００８】
図１は、一実施形態によるセルフサービス要処方箋アイウェアキオスク１００を示す。キオスク１００は、例えば、１つ又は複数のフレーム展示エリア１０１と、ユーザインターフェース１０２と、支払いインターフェース１０３と、柄付き眼鏡１０４と、カメラ１０５と、鏡１０６とを備える。
【０００９】
フレーム展示エリア１０１は、顧客がキオスク１００で試着するためのフレーム１０７のセレクションを提供する。フレーム１０７は、様々なスタイルを含み得、男性用、女性用、子供用、及び様々なデザイナースタイル等のカテゴリに編成し得る。一実施形態では、サンプルフレーム１０７は、デモンストレーション及びスタイル選択のみを目的とし、顧客による購入に向けて提供されない。フレーム１０７は、特定のフレームスタイルに一意のフレームコードを示すタグ１０８又は他のラベル、ステッカー、若しくは他の印を有し得る。顧客は、フレームスタイルを試着し選択する際、鏡１０６を使用し得る。
【００１０】
顧客は、所望のフレームスタイルを選択すると、ユーザインターフェース１０２を介して新しい眼鏡を購入し得る。一実施形態では、ユーザインターフェース１０２は、以下に詳述するように、ユーザが選択し、入力を眼鏡注文アプリケーションに提供できるようにするタッチスクリーン１０９を有する。
【００１１】
柄付き眼鏡１０４及びカメラ１０５を使用して、顧客の瞳孔距離を測定し得、瞳孔距離は、顧客によって選択されたフレームにおいてレンズを正確にセンタリングするために使用される。
【００１２】
図２は、バックエンドアイウェア注文システム２０２と通信するセルフサービス要処方箋アイウェアキオスク２０１の実施形態例のブロック図である。キオスク２０１は、プロセッサ２０３と、ユーザインターフェースディスプレイ２０４と、ユーザインターフェースキーパッド２０５と、カメラ２０６と、支払い受け入れ器２０７とを備える。プロセッサ２０３は、１つ又は複数のソフトウェアアプリケーション２０８〜２１２を使用して、キオスク２０１及びその構成要素の動作を制御し調整する。記憶デバイス２１３は、アプリケーション２０８〜２１２のソフトウェアコード及び命令並びに顧客アカウント情報及び注文情報等の他のデータの記憶に使用され得る。記憶デバイス２１３は、ハードディスクドライブ、ＲＡＭ、ＲＯＭ、ＥＥＰＲＯＭ、フラッシュメモリ、又は他のメモリ技術、ＣＤ−ＲＯＭ、デジタル多用途ディスク（ＤＶＤ）、若しくは他の光ディスク記憶装置、磁気カセット、磁気テープ、磁気ディスク記憶装置、若しくは他の磁気記憶デバイス等であるが、これらに限定されない任意の適切なメモリデバイス又はコンピュータ記憶媒体とし得る。キオスク２０１は、無線又は有線ネットワーク接続を介してバックエンドアイウェア注文システム２０２と通信し得る。ＷｉＦｉルータ２１４又は他の無線送受信器が、バックエンドシステム２０２との直接又はアンテナ２１５を使用して送信され受信する無線周波数（ＲＦ）信号及び１つ若しくは複数の中間アクセスポイント若しくはネットワークを通しての無線通信をサポートする。他の実施形態では、キオスク２０１は、ネットワークインターフェース２１７を介してアクセスされる、インターネット、イントラネット、又は任意の他のパケットデータネットワーク等の公衆又は私設ネットワーク２１６を介してバックエンドシステム２０２と通信する。
【００１３】
顧客注文インターフェースアプリケーション２０８は、指示及び顧客についての他の情報等の出力をディスプレイ２０４に提供する。顧客注文インターフェースアプリケーション２０８はまた、ディスプレイ２０４上のタッチセンシティブ画面又はキーパッド２０５を介するなど、顧客からの入力を受信する。他の実施形態では、顧客は、音声入力、親指スキャン、アイスキャン、及びオーディオ出力、又は任意の他の同様の入力若しくは出力手段等の任意の適切な様式で、キオスク２０１と対話し得る。ユーザは、顧客注文インターフェース２０８によって生成される視覚又は音声プロンプトに応答して、光学処方箋、選択されたフレームスタイル、アカウント及びメーリング情報、及び任意の他の適切若しくは所要情報を入力し得る。
【００１４】
瞳孔距離（ＰＤ）測定アプリケーション２０９は、選択されたアイウェアの製造に使用する顧客の瞳孔距離の計算に使用される。瞳孔距離（ＰＤ）又は瞳孔間距離（ＩＰＤ）は、各目の瞳孔の中心間距離（典型的には、ｍｍ単位で測定される）である。ＰＤ測定アプリケーション２０９は、カメラ２０６を用いて捕捉された画像を使用して、瞳孔距離を計算し得る。例えば、より詳細に後述するように、顧客は、カメラ２０６が顧客の顔の画像を捕捉する間、顧客の顔の高さと並んで柄付き眼鏡１０４（図１）を保持し得る。柄付き眼鏡１０４は、ユーザの目の位置を模倣するように構造体内で離間される第１の開口部及び第２の開口部と、柄付き眼鏡の片側に位置決めするハンドルとを有する単体構造体を有する装置である。ユーザは、図６に示されるように、ハンドルを使用することによって柄付き眼鏡を握り得る。次に、ＰＤ測定アプリケーション２０９は、柄付き眼鏡の既知の寸法又は参照点を使用して、画像から瞳孔距離を計算し得る。
【００１５】
支払い処理アプリケーション２１０を使用して、顧客の支払い情報を受け入れ、処理する。支払い処理アプリケーション２１０は支払い受け入れ器２０７と連携し得、支払い受け入れ器２０７は、クレジット／デビットカード（例えば、磁気カードスワイプ）、現金、トークン、クーポン、ギフトカード、又は他の形態の支払いを受け入れ得る。
【００１６】
バックエンドインターフェースアプリケーション２１１は、バックエンドアイウェア注文システム２０２との通信を調整する。バックエンドインターフェースアプリケーション２１１は、顧客アカウント情報、注文情報、支払いデータ、ソフトウェア及びシステム更新、及び／又は他のデータをバックエンドアイウェア注文システム２０２と交換する。
【００１７】
オペレーティングシステム２１２は、プロセッサ２０３のリソースを管理し、サービスをアプリケーション２０８〜２１１及び他のプログラムに提供する。アプリケーション２０８〜２１１は、オペレーティングシステム２１２の構成要素であってもよく、プロセッサ２０３で実行中の別個のソフトウェアプログラムであってもよい。
【００１８】
一実施形態では、セルフサービス要処方箋アイウェアキオスク２０１の幾つかの構成要素は、タブレットコンピュータ、スマートフォン、ＰＤＡ、ラップトップコンピュータ、ノートブックコンピュータ等のポータブル計算デバイスに対応し得る。例えば、プロセッサ２０３、記憶装置２１３、ユーザインターフェースディスプレイ２０４、及びカメラ２０６は、キオスク２０１に搭載されるタブレットコンピュータ（又は他のポータブル計算デバイス）の要素であり得る。同様に、キオスク１００（図１）上のユーザインターフェース１０２、タッチスクリーン１０９、及びカメラ１０５も、タブレットコンピュータ又はポータブル計算デバイスの要素であり得る。
【００１９】
バックエンドアイウェア注文システム２０２は、異なる小売ロケーションに配備される複数のセルフサービスキオスク２０１等の１つ又は複数のキオスクに接続し得る。システム２０２は、顧客の注文の完了、支払い取引の処理、レンズ及びフレームの注文等にサポートを提供する。バックエンドアイウェア注文システム２０２は、例えば、プロセッサ２１８、記憶デバイス２１９、ＷｉＦｉルータ２２０、及び／又はネットワークインターフェース２２１を備えるサーバ又は他のコンピュータであり得る。
【００２０】
プロセッサ２１８は、１つ又は複数のソフトウェアアプリケーション２２２〜２２５を使用してシステム２０２及びその構成要素の動作を制御し調整する。記憶デバイス２１９を使用して、アプリケーション２２２〜２２５のソフトウェアコード及び命令と、顧客アカウント情報及び他の注文情報等の他のデータとを記憶し得る。記憶デバイス２１９は、ハードディスクドライブ、ＲＡＭ、ＲＯＭ、ＥＥＰＲＯＭ、フラッシュメモリ又は他のメモリ技術、ＣＤ−ＲＯＭ、デジタル多用途ディスク（ＤＶＤ）又は他の光ディスク記憶装置、磁気カセット、磁気テープ、磁気ディスク記憶装置、又は他の磁気記憶装置等であるが、これらに限定されない任意の適切なメモリデバイス又はコンピュータ記憶媒体であり得る。システム２０２は、無線又は有線ネットワーク接続を介してキオスク２０１と通信し得る。ＷｉＦｉルータ２２０又は別の無線送受信器は、直接又はアンテナ２２６を使用して送受信されるＲＦ信号を使用して１つ若しくは複数の中間アクセスポイント若しくはネットワーク（図示せず）を通してのキオスク２０１との無線通信をサポートする。他の実施形態では、バックエンドシステム２０２は、ネットワークインターフェース２２１を介してアクセスされる公衆又は私設ネットワーク２１６を介してキオスク２０１と通信する。
【００２１】
レンズ及びフレーム注文アプリケーション２２２は、レンズ製造所２２７及び／又はフレーム供給業者２２８からのレンズ及びフレームの製造を注文又はスケジュールすることにより、顧客注文を遂行するためのサポートを提供する。システム２０２及び／又はキオスク２０１は、例えば、ネットワーク２１６を介してレンズ製造所２２７及び／又はフレーム供給業者２２８と通信し得る。
【００２２】
支払い処理アプリケーション２２３は、顧客の支払い情報を処理し、第三者支払いプロセッサ２２９とインターフェースするのに使用される。支払い処理アプリケーション２２３は、キオスク２０１上の支払い処理アプリケーション２１０から支払い情報を受信し得る。支払い処理アプリケーション２２３は、例えば、ネットワーク２１６を介して第三者支払いプロセッサ２２９と通信し得る。
【００２３】
キオスクインターフェースアプリケーション２２４は、システム２０２と複数のキオスク２０１との間に通信を提供して、例えば、顧客注文の受信、キオスク２０１のステータスの監視、ソフトウェア更新及び他のデータ、及び／又は任意の他の情報のキオスク２０１への提供をサポートする。
【００２４】
オペレーティングシステム２２５は、プロセッサ２１８のリソースを管理し、アプリケーション２２２〜２２４及び他のプログラムにサービスを提供する。アプリケーション２２２〜２２４は、オペレーティングシステム２２５の構成要素であってもよく、又はプロセッサ２１８で実行中の別個のソフトウェアプログラムであってもよい。
【００２５】
他の実施形態では、顧客は、リモート端末２３０を使用して要処方箋アイウェアを注文することもでき、リモート端末２３０は、例えば、デスクトップ若しくはパーソナルコンピュータ、ラップトップコンピュータ、タブレットコンピュータ、スマートフォン、モバイル計算デバイス、個人情報端末(ＰＤＡ）、又はバックエンドアイウェア注文システム２０２及び／又はキオスク２０１に接続可能なプロセッサベースのデバイスであり得る。顧客は、端末２３０において新しい注文を開始し、保存してもよく、又はキオスク２０１で開始された既存の注文を完了若しくは改訂し得る。例えば、顧客は、キオスクで注文を開始し、次に、ラップトップ、ノートブック、タブレット、携帯電話、ＰＤＡ、デスクトップコンピュータ、又は同じ若しくは異なるキオスク等の任意のタイプのリモート端末を使用して家で後に注文を完了させ得る。
【００２６】
図３は、一実施形態によるアイウェアの顧客注文を満たすプロセスを示すフローチャート３００である。顧客は、例えば、キオスク１００又は２０１等のセルフサービスアイウェアキオスクを訪れる。顧客は、キオスクにおいて提供される様々なフレームスタイルを試着し、評価し得る。顧客は、所望のフレームスタイルを選択すると、キオスクのアイウェア注文アプリケーションにログオンするか、又は他の様式で開始し得る。ステップ３０１において、顧客は、選択されたフレームのコードを入力する。コードは、特定のフレーム設計及びサイズに一意に割り当て得、且つ／又は目の大きさ（フレームのレンズの水平幅）、ブリッジサイズ（２枚のレンズの間隔）、テンプルサイズ（テンプル又はイヤーピースの長さ）、垂直サイズ（レンズの垂直高さ）、フレームの色又はフレーム上のパターン、フレームの製造業者、又は選択されたフレームの他の特徴等の選択されたフレームの要素のサイズを示し得る。一実施形態では、３英数字コードが、フレームのスタイルの識別に使用される。
【００２７】
本明細書に記載される実施形態例は、要処方箋アイウェアを参照するが、セルフサービスアイウェアキオスクを使用して、任意のタイプのアイウェアを購入し得ることが理解されよう。例えば、顧客は、要処方箋眼鏡、処方箋不要眼鏡、老眼鏡、サングラス、保護用アイウェア、安全用ゴーグル、及び運動用アイウェアを購入し得る。
【００２８】
顧客は、フレーム選択を識別すると、ステップ３０２において、顧客の光学処方箋をキオスクに入力する。顧客は、キオスクのタッチスクリーンインターフェースを使用して、顧客の処方箋情報を入力し得る。処方箋入力インターフェースは、例えば、眼科及びアイウェア製造の分野の当業者に既知のように、球面補正、円筒補正、軸、プリズム、及びベース等の遠視及び近視情報を入力するフィールドを提供し得る。ステップ３０３において、顧客は、眼科レンズを選択肢、レンズオプションを選択することもできる。
【００２９】
ステップ３０４において、瞳孔距離測定値が、カメラ及び柄付き眼鏡を使用してキオスクにおいて取得される。顧客は、柄付き眼鏡を顧客の目と並べて保持し、次に、カメラは、柄付き眼鏡を定位置にある状態で顧客の顔の１つ又は複数の画像を捕捉する。キオスク又はバックエンドサーバでの瞳孔距離測定アプリケーションは、画像を処理し、柄付き眼鏡の既知のパラメータに基づいて瞳孔距離を計算する。
【００３０】
ステップ３０５において、顧客は、支払い情報をキオスクで入力し、選択されたフレーム及び入力された処方箋に対応するレンズを含むアイウェアの購入を完了する。顧客は、カードを磁気カードリーダに通すなど、クレジット／デビットカード、ギフトカード、又は任意の他の形態の通貨を支払いに使用し得る。キオスクは、支払い情報をバックエンドサーバ及び／又は第三者支払いサービスに提供して、支払い取引を完了する。
【００３１】
ステップ３０６において、キオスクは、アイウェア注文を製造業者に送信する。例えば、キオスクは、光学処方箋及びフレームパラメータをレンズ製造所に送信し得る。キオスクは、注文を製造業者に直接送信してもよく、又は注文は中央サーバを通してルーティングしてもよい。
【００３２】
他の実施形態では、顧客は、キオスクを使用してアイウェアのより特殊なレンズを注文し得る。例えば、顧客は、単焦点レンズ、二重焦点レンズ、三焦点レンズ、累進多焦点レンズ、及びプリズムレンズを注文し得る。顧客は、レンズ材料（例えば、ガラス、ポリカーボネート、プラスチック等）、コーティング（例えば、反射防止、グレアなし、ＵＶ保護、傷防止、静電気防止、汚れ防止、撥水等）、着色、偏光、及び／又は光発色性（例えば、光状況を変えるように構成される）等の他の処方箋不要レンズオプションを選択することもできる。顧客は、セルフサービス要処方箋アイウェアキオスクを使用して、コンタクトレンズを注文することもできる。
【００３３】
図４Ａ及び図４Ｂは、一実施形態によるセルフサービス要処方箋アイウェアキオスクを動作するプロセスを示すフローチャートである。ステップ４０１において、顧客に開始画面が提示され、開始画面により、顧客は、光学処方箋、現在の眼鏡、既存のアカウント、又は他のオプションを有するか否かを示すことができる。ステップ４０２において、顧客は、キオスクを前に使用したことがあることを示した。これにより、顧客は、既存のアカウント、既存又は保存されている注文等にアクセスすることができる。ステップ４０３において、キオスクはログイン画面を表示し、この画面で、顧客は識別情報及び／又はアカウント情報を入力する。ステップ４０４において、必要であれば、キオスクは、顧客がパスワードを検索できるようにする。顧客がログインすると、ステップ４０４において、キオスクは、フレームを選択する個人化プロセスを顧客に提供する。
【００３４】
顧客が、現在の眼鏡を示すが、光学処方箋の詳細を有さない場合、プロセスは、開始画面４０１からステップ４０５に移る。次に、ステップ４０６において、キオスクは、顧客が、既存の眼鏡の光学処方箋を取得することができる薬局に行くべきであることを示す（例えば、キオスクロケーションに適切な場合）。例えば、薬局は、デバイスを使用して、顧客の現在のアイウェアをスキャンして、処方箋を生成し得る。他の実施形態では、顧客が処方箋を有さない場合、キオスクは、顧客に、光学処方箋を取得することができる別のロケーション（例えば、オートリフラクションデバイス、オートリフラクションステーション、検眼医オフィス、又は眼科医オフィス）を指示し得る。
【００３５】
顧客が、開始画面４０１において、光学処方箋を有することを示す場合、又はステップ４０６において、処方箋が取得された後、プロセスはステップ４０７に移る。ステップ４０８において、顧客はフレームを選択する。顧客は、キオスクに配置されたサンプルから、カタログ若しくは他のリストから、又は任意の他のソースから選択し得る。ステップ４０９において、顧客は、フレームコードを入力して、選択されたフレームスタイルを識別する。ステップ４１０において、顧客のフレーム選択が確認される。キオスクは、ステップ４１１において、顧客に、サンプルフレームを展示ラックに戻すことを思い出させる。
【００３６】
ステップ４１２において、キオスクは測定を開始する。測定サブプロセスは、顧客の光学処方箋を入力することと、顧客の瞳孔距離を測定することとを含み得る。ステップ４１３において、瞳孔距離は、キオスクに取り付けられた、柄付き眼鏡等の参照デバイスを使用して測定し得る。ステップ４１３において、顧客の動向距離測定が失敗する場合、測定サブプロセスはステップ４１２に戻り、再び開始する。ステップ４１３において、瞳孔測定が良好な場合、プロセスは、ステップ４１４において、ポジショニングの測定に移り、次に、ステップ４１５において、測定の確認に移る。
【００３７】
ステップ４１６において、プロセスは、これがリピート客であるか否かを評価し、既存の光学処方箋を使用するオプションを提供する。顧客が既存の処方箋を使用したい場合、プロセスはステップ４１７に移り、キオスクは、Ｅｓｓｉｌｏｒ  Ｉｎｔｅｒｎａｔｉｏｎａｌ  Ｃｏｒｐｏｒａｔｉｏｎ製のＡｉｒｗｅａｒ（登録商標）レンズ等の様々なレンズオプションについての情報をユーザに提供する。
【００３８】
ステップ４１６において、顧客が既存の処方箋を使用したくない場合、キオスクは、ステップ４１８において、処方箋がいかにフォーマットされているかについての情報を要求する。処方箋が眼科医又は医師からのものである場合、プロセスはステップ４１９に移り、顧客は処方箋を入力する。次に、ステップ４２０において、処方箋が確認される。顧客が処方箋を薬局（又はステップ４０６において参照される他のソース）から取得した場合、ステップ４２１及び４２２において、薬局処方箋フォーマットに適切なキオスクプロンプトに従い、顧客は処方箋を入力する。ステップ４２３において、プロセスは薬局処方箋を確認する。
【００３９】
顧客が眼科医処方箋又は薬局処方箋の何れかを入力し確認すると、プロセスはステップ４１７に移り、キオスクは、様々なレンズオプションについての情報を顧客に提供する。顧客は、ステップ４２４（図４Ｂ）において、軽量レンズ（例えば、薄く軽い）又は調光レンズ（例えば、Ｔｒａｎｓｉｔｉｏｎ（登録商標））等のレンズオプションを選択し得る。
【００４０】
顧客が処方箋を入力し、レンズオプションを選択した後、プロセスは注文情報を提供する。新しい顧客には、ステップ４２５において、小計についての注文詳細が提供され得る。次に、新しい顧客は、ステップ４２６において、コンタクト情報を提供し、ステップ４２７において、住所情報を提供し、ステップ４２８において、アカウントパスワードを作成し得る。顧客は後にアカウントにアクセスし、このキオスク又は別のキオスクからの注文を見直し得る。顧客は、リモート端末、例えば、インターネットウェブページから、又はモバイルアプリケーションを使用してパスワードを使用し得る。次に、ステップ４２９において、顧客に注文概要が見せられる。リピート客は、アカウントを作成するか、又はコンタクト若しくは住所情報を更新する必要がなく、ステップ４２５〜４２８をスキップし得、ステップ４２９において、注文概要が提供される。
【００４１】
ステップ４３０において、顧客に、第２の眼鏡を選択するオプションが提供される。顧客が第２の眼鏡の注文を選ぶ場合、ステップ４３１において、顧客はディスプレイから第２のフレームを選択し、ステップ４３２において、選択されたフレームのコードを入力する。ステップ４３３において、フレーム選択は確認され、ステップ４３４において、キオスクは、サンプルフレームを展示ラックに戻すことを顧客に思い出させる。次に、ステップ４３５において、顧客に第２の眼鏡のレンズオプションが提供される。ステップ４３１〜４３５において、顧客がフレーム及びレンズ選択の入力を完了すると、プロセスは、ステップ４３６において開始される支払いサブプロセスに移る。顧客は、必要に応じてステップ４３１〜４３５を繰り返すことによって追加の眼鏡を注文するオプション（図示せず）も有し得る。第２の眼鏡を注文しない顧客は、ステップ４３１〜４３５をスキップし、ステップ４３０後にステップ４３６に直接移る。
【００４２】
ステップ４３６において、顧客はクレジットカード又はデビットカードをスワイプするか、又は他の様式で支払いを開始する。他の実施形態では、顧客は、現金、トークン、クーポン、ギフトカード、又は他の価値交換等を使用して支払いし得る。ステップ４３６において、クレジットカードスワイプが失敗する場合、ステップ４３７において、顧客は手動でクレジットカード番号を入力し得る。次に、ステップ４３８において、顧客は課金住所を提供する。ステップ４３６において、クレジットカードスワイプが上手くいく場合、プロセスはステップ４３９又は４４０の何れかに移り、顧客は、使用されるカードに適切なように、郵便番号又は個人識別番号を入力するように促される。
【００４３】
支払い情報が受信された後、ステップ４４１において、プロセスは顧客に注文概要を提供する。顧客が電子メールアドレスを提供していなかった場合、注文概要は、ステップ４４２において、電子メールアドレス入力フィールドを含み得る。顧客が必要な全ての情報を提供し、注文を承認すると、キオスクは、注文情報をバックエンドシステム、中央サーバ、又は他のロケーションに送信して、アイウェアの製造を開始する。
【００４４】
図５は、一実施形態による瞳孔距離を測定するディスプレイ５００を示す。柄付き眼鏡、ユーザインターフェースディスプレイ、及びカメラ（例えば、図１の柄付き眼鏡１０４、カメラ１０５、及びディスプレイ１０９）を使用して、瞳孔距離を測定し得る。キオスクは、瞳孔測定に必要なステップを通して顧客に指示する視覚的指示及び／又は書面での指示を提供し得る。視覚的指示５０１は、顧客の片目が柄付き眼鏡の第１の開口部内に実質的に見えるように位置決めされ、顧客の他方の目が実質的に、柄付き眼鏡の第２の開口部内に位置決めするように、柄付き眼鏡５０２を目の高さに並べて保持するように顧客に指示する。視覚的指示５０１は、ディスプレイ上の楕円５０３等であるが、これに限定されない参照枠内に顔を位置決めするように顧客に更に指示する。追加又は代替として、書面での指示５０４は、楕円内に顔を位置決めし、「測定」ボタン５０５を押すようにユーザに指示する。
【００４５】
顧客は、顔５０６をディスプレイ５０８上の楕円５０７内に位置決めし、柄付き眼鏡５０９を目の長さに並べて保持する。次に、顧客は測定ボタン５０５を押すか、又は任意の他の適切な入力を提供する。次に、キオスクは、柄付き眼鏡５０９が定位置にある状態で顧客の顔５０６の１つ又は複数の画像を捕捉する。次に、キオスク上のアプリケーションは、瞳孔距離を測定する。柄付き眼鏡５０９上のリング５１０は、参照点又は既知の寸法として使用し得る。瞳孔距離アプリケーションは、顧客の目、虹彩、又は瞳孔、及び位置リング５１１を識別する。一実施形態では、顧客の瞳孔は、捕捉画像内の角膜反射を識別することによって位置特定される。柄付きリング５１０及び目リング５１１の相対サイズ及びロケーションを使用して、瞳孔距離を計算する。一実施形態では、顧客は、白色柄付きリング５１０をディスプレイ上の緑色の円に位置合わせして、適宜位置決め及び測定の正確性を保証するように、頭部をキオスクのディスプレイに位置決めする。円が位置合わせされると、顧客の画像は捕捉され処理されて、ＰＤ測定のために顧客の目、虹彩、及び瞳孔を識別する。他の実施形態では、リング５１１を使用する代わりに、瞳孔の中心を指定する点により、顧客の瞳孔のロケーションを識別し得る。
【００４６】
一実施形態では、カメラ及び柄付き眼鏡を使用して、顧客の目に焦点を合わせる。顧客の顔の複数の画像を撮影し得、高コントラストを有する画像が、測定に選択される。画像センサを使用して、最高ＰＤを有する画像を見つける。「測定」を押すか、又は他の様式で画像捕捉を開始するように顧客に求める代わりに、カメラは、顔及び柄付き眼鏡がビュー内にあるときを識別する顔認識ソフトウェアを使用し得、顧客の画像を自動的に捕捉し得る。
【００４７】
図６は、一実施形態において使用される柄付き眼鏡６００の図である。柄付き眼鏡６００は、上述したように、顧客のＰＤ測定値を特定するのに使用される。
【００４８】
図７は、代替の実施形態によるセルフサービス要処方箋英ウェアキオスク７００を示す。キオスク７００は、例えば、１つ又は複数のフレーム展示エリア７０１、ユーザインターフェース７０２、支払いインターフェース７０３、柄付き眼鏡７０４、カメラ７０５、及び鏡７０６を備える。
【００４９】
図８Ａ〜図８Ｅは、例えば、キオスク実施形態７００（図７）に対応し得るセルフサービス要処方箋アイウェアキオスク８００の更なる詳細を示す図面である。図８Ａはキオスク８００の正面図である。図８Ｂはキオスク８００の上面図である。図８Ｃはキオスク８００の側面図である。図８Ｄはキオスク８００の等角図である。図８Ａは、キオスク８００の実施形態例で使用される材料の表８０１である。
【００５０】
図９は、更なる実施形態によるセルフサービス要処方箋アイウェアキオスク９００を示す。キオスク９００は、例えば、キオスク７０１に、追加のフレーム展示エリア９０１を加えたものを備える。キオスク９００は、ポータブル計算デバイスドッキングポート９０２を更に備える。ドッキングポート９０２は、スマートフォン（例えば、ｉＰｈｏｎｅ又はＡｎｄｒｏｉｄ若しくはＷｉｎｄｏｗｓ  Ｐｈｏｎｅオペレーティングシステムを実行する携帯電話）、タブレットコンピュータ（例えば、ｉＰａｄ、Ｍｉｃｒｏｓｏｆｔ  Ｓｕｒｆａｃｅ、又はＡｎｄｒｏｉｄベースのタブレット）、ノートブックコンピュータ、ラップトップコンピュータ等の任意の適切なポータブル計算デバイスと併用し得る。ドッキングポート９０２は、ＵＳＢコネクタ、Ａｐｐｌｅ  Ｌｉｇｈｔｎｉｎｇコネクタ、Ａｐｐｌｅ  ３０ピンコネクタ、又はポータブル計算デバイスをキオスク９００に接続するために使用することができる他の周知若しくはプロプライエタリコネクタ等の１つ又は複数のコネクタを提供し得る。ドッキングポート９０２は、スマートフォン、タブレット、又は他のデバイスを保持するように構成されるラック又はフレーム等のポータブル計算デバイスを保持するように構成することもできる。
【００５１】
一実施形態では、キオスク９００のプロセッサは、アイウェア測定アプリケーションをダウンロードし実行することができるプライベートポータブルタブレット等の顧客各自のポータブル計算デバイスである。これにより、各自のプロセッサデバイスなしでアイウェアキオスクを提供することができる。代わりに、顧客は、オンラインアプリケーションストア（例えば、「Ａｐｐ  Ｓｔｏｒｅ」）又はアイウェア製造業者のウェブサイトからなどのアイウェア測定アプリケーションをダウンロードし得る。代替的には、キオスク９００は、そのようなアプリケーションをローカルにダウンロードするために提供し得る。例えば、顧客は、キオスクのバーコード又はクイックレスポンス（ＱＲ）コードをスキャンして、アイウェア測定アプリケーションをダウンロードするサイトにアクセスし得る。ユーザのポータブル計算デバイスがカメラを含む場合、ポータブル計算デバイスを使用して、本明細書に記載のように、ユーザの顔の画像を取得し得る。例えば、顧客のスマートフォン、タブレットコンピュータ、又はポータブル計算デバイスは、キオスク構成要素２０１（図２）として示される構成要素の幾つか又は全てに対応し得る。他の実施形態は、キオスク９００に配置される別個のカメラを含み得る。柄付き眼鏡９０３は、キオスク９００に配置され、且つ／又は取り付け得、各自のポータブル計算デバイスを有する任意の顧客によって使用される。
【００５２】
ユーザの各自のポータブル計算デバイスの組み込みにより、ユーザは、キオスク９００においてアイウェア注文を開始し、次に、任意のロケーションにおいて注文を完了し得る。例えば、ユーザは、キオスク９００において柄付き眼鏡９０３を使用して、瞳孔距離測定用の画像を捕捉し得る。必要な画像が捕捉されると、ユーザは、何らかの他のロケーション及び／又は何らかの他の時間に注文を仕上げ得る。
【００５３】
他の実施形態では、顧客は、キオスク９００又はキオスク１００（図１）からフレームスタイルを選択すると、各自のスマートフォン、タブレットコンピュータ、又は家若しくはキオスクから離れたどこかの他のロケーションにあるポータブル計算デバイスで測定を完了し得る。顧客は、アイウェア測定アプリケーションを各自のデバイスにダウンロードすると、任意のロケーションで各自のデバイスを使用してＰＤ測定を完了し得る。アイウェア測定アプリケーションは、顧客のデバイスのディスプレイ及びカメラを使用して、図５に示されるように測定を完了するように顧客に促す。顧客は、キオスクで得られる柄付き眼鏡（例えば、使い捨て又は無料の柄付き眼鏡）を使用して、各自のデバイスで測定し得る。
【００５４】
ユーザは、バックエンドアイウェア注文システム２０２（図２）等の中央システムに注文を送信し得、中央システムは注文を検証し、処理する。中央システムは、利用可能なフレーム及びレンズの在庫をチェックする、瞳孔距離又は他のアイウェアパラメータが選択されたフレームに対応するか否かを判断する、ユーザの処方箋に伴う潜在的なエラー又は問題を識別するなど、注文の実現可能性を評価し得る。中央システムは、注文が実現可能であると確認されると、承認を送信して、ユーザの注文を確認し得る。中央システムは、出荷日及び配達日、出荷追跡コード、注文確認番号等の追加の情報を提供し得る。
【００５５】
他の実施形態では、アイウェアを注文し、且つ／又はアイウェアパラメータを測定するプロセスは、ポータブル計算デバイス上のアプリケーションとして実行される代わりに、中央サーバで実行し得る。中央サーバは、ウェブブラウザを介してユーザインターフェースを提供して、例えば、情報、画像、及び中央サーバで処理するための他のデータを収集し得る。
【００５６】
図１０Ａ〜図１０Ｃは、代替の実施形態によるアイウェアの顧客注文を満たすプロセスを示すフローチャート１０００である。
【００５７】
本発明の多くの変更及び他の実施形態が、上記説明及び関連付けられた図面に提示される教示の恩恵を受ける、本発明に関連する分野の当業者には思い浮かぶであろう。したがって、本発明が開示される特定の実施形態に限定されるべきではないことを理解されたい。特定の用語が本明細書において利用されるが、それらは単に一般的な意味及び説明の意味で使用されており、限定を目的として使用されているものではない。
【図１】
2016536639.tif 000003
【図６】
2016536639.tif 000004
【図７】
2016536639.tif 000005
【図８Ｂ】
2016536639.tif 000006
【図９】
2016536639.tif 000007
【図２】
2016536639.tif 000008
【図３】
2016536639.tif 000009
【図４Ａ】
2016536639.tif 000010
【図４Ｂ】
2016536639.tif 000011
【図５】
2016536639.tif 000012
【図８Ａ】
2016536639.tif 000013
【図８Ｃ】
2016536639.tif 000014
【図８Ｄ】
2016536639.tif 000015
【図８Ｅ】
2016536639.tif 000016
【図１０Ａ】
2016536639.tif 000017
【図１０Ｂ】
2016536639.tif 000018
【図１０Ｃ】
2016536639.tif 000019
【国際調査報告】
2016536639.tif 000020
2016536639.tif 000021
2016536639.tif 000022